(57)【特許請求の範囲】
【請求項１】
建物の本体部を構成する箱状の建物ユニットの側面に前記本体部の室外側へ突出して取り付けられるとともに、前記建物ユニットよりも小さい見込み寸法を有する箱状とされ、かつ室外に臨む側面が外壁パネルで覆われている拡張ユニットの取付構造であって、前記本体部に設けられた外壁パネルと、前記拡張ユニットの外壁パネルとの間には、コーナーパネルが介装され、前記拡張ユニットおよび建物ユニットは、四隅の柱を含んで構成された骨組を有し、前記拡張ユニットの骨組を構成する各柱のうち、前記建物ユニット側の二本の柱の断面寸法は、これらの柱と対向する前記建物ユニットの二本の柱の断面寸法よりも小さく設定され、前記建物ユニットの二本の柱の前記拡張ユニット側に向いた側面と、この側面に対して直角をなす前記拡張ユニットの柱の側面とが、互いに直角をなす二つの当接面を有する接続部材で接続されていることを特徴とする拡張ユニットの取付構造。
【請求項２】
請求項１に記載の拡張ユニットの取付構造において、前記本体部は複数の建物ユニットから構成され、前記拡張ユニットおよび各建物ユニットは、四隅の柱を含んで構成された骨組を有し、これら骨組の見付け寸法が同じに設定されていることを特徴とする拡張ユニットの取付構造。
【請求項３】
請求項１または請求項２に記載の拡張ユニットの取付構造において、前記接続部材は、この接続部材が当接される前記拡張ユニットの柱および前記建物ユニットの柱のうちの少なくとも一方の柱の側面に、前記建物の内部側から螺設されるボルトで固定されていることを特徴とする拡張ユニットの取付構造。
【請求項４】
請求項３に記載された拡張ユニットの取付構造において、前記建物ユニットおよび拡張ユニットの互いに接続される柱は、各々中空とされ、かつ前記接続部材に対応する位置に設けられた開口部を塞ぐ閉塞部材を有し、この閉塞部材の前記開口部と対向する面にはナットが固着され、このナットには前記接続部材を固定する前記ボルトが螺合していることを特徴とする拡張ユニットの取付構造。
【請求項５】
請求項１〜４のいずれかに記載された拡張ユニットの取付構造において、前記コーナーパネルは、平断面Ｌ字形状であることを特徴とする拡張ユニットの取付構造。
【発明の詳細な説明】
【０００１】
【発明の属する技術分野】
本発明は、拡張ユニットの取付構造に係り、工場で生産された複数の建物ユニットおよび拡張ユニットを建設現場で組み立てることで建てられるユニット式建物の技術に属する。
【０００２】
【背景技術】
従来より、工場で生産された建物ユニットを建設現場で組み立てることにより建てられるユニット式建物では、建物ユニットの内部空間を居室として有効に活用するため、収納空間等を建物ユニット内に設けず、建物ユニットの側面に取り付けられた拡張ユニット内に設ける場合がある。また、このような拡張ユニットは、収納空間の確保のみならず、その内部を建物ユニット内と連通させることで、居室空間の一部としても利用可能である。
【０００３】
このような拡張ユニットの従来の取付構造を図７に示した。
図７において、箱状の拡張ユニット９０は、建物ユニット２０Ａに取り付けられているとともに、室外側の側面に取り付けられた複数の直線状の外壁パネル９１，９２および平断面Ｌ字形状のコーナーパネル９３を備えている。
そして、拡張ユニット９０の各外壁パネル９１，９２のうち、建物ユニット２０Ｂの外壁パネル２５に対して直角をなす外壁パネル９２は、その外壁パネル２５に対して勝った状態となるように取り付けられている。
【０００４】
【発明が解決しようとする課題】
しかし、拡張ユニット９０の外壁パネル９３が建物ユニット２０Ｂの外壁パネル２５に対して勝った状態になっていると、外壁パネル２５，９３間の目地が入隅の頂角部分に位置するため、その目地処理が行い難いという問題があった。
【０００５】
また、拡張ユニット９０では、四隅の柱９４およびこれらを連結する複数の梁を含んで構成された骨組９５の見付け寸法Ｌが、建物ユニット２０の同様な骨組２４の見付け寸法であるモデュール寸法Ｍよりも若干小さく設定されているため、拡張ユニット９０の外壁パネル９２と建物ユニット２０Ｂの外壁パネル２５とにおいて、各々の見付け寸法が異なってしまい、それら外壁パネル２５，９２等の部品の共通化が図れないという問題もあった。
【０００６】
さらに、従来では、拡張ユニット９０の各柱９４と、これらの柱９４に対向する建物ユニット２０Ａの各柱２１とにおいて、見付け方向内側に向いた各側面２１Ｃ，９４Ａ同士が面一とされ、拡張ユニット９０の建物ユニット２０Ａへの取り付けを、それらの側面２１Ｄ，９４Ａに跨設された接続部材９６を用いて行っていた。このため、接続部材９６を隠蔽するための内壁パネル９７が建物の内部空間側に張り出してしまい、内部空間を有効に利用できないとういう問題もあった。
【０００７】
本発明の目的は、入隅での目地処理を容易に行うことができる拡張ユニットの取付構造を提供することにある。
【０００８】
【課題を解決するための手段】
本発明の拡張ユニットの取付構造は、図面で用いた符号で説明すると、建物１０の本体部１２を構成する箱状の建物ユニット２０Ａの側面に前記本体部１２の室外側へ突出して取り付けられるとともに、建物ユニット２０Ａよりも小さい見込み寸法を有する箱状とされ、かつ室外に臨む側面が外壁パネル４２，４３で覆われている拡張ユニット３０の取付構造であって、本体部１２に設けられた外壁パネル２５と、拡張ユニット３０の外壁パネル４３との間に、コーナーパネル２６を介装し、拡張ユニット３０および建物ユニット２０Ａを、四隅の柱２１，３１を含んで構成された骨組２４，３９を有したものとし、拡張ユニット３０の骨組３９を構成する各柱３１のうち、建物ユニット２０Ａ側の二本の柱３１の断面寸法を、これらの柱３１と対向する建物ユニット２０Ａの二本の柱２１の断面寸法よりも小さく設定し、建物ユニット２０Ａの二本の柱２１の拡張ユニット側に向いた側面２１Ａと、この側面２１Ａに対して直角をなす拡張ユニット３０の柱３１の側面３１Ａとを、互いに直角をなす二つの当接面５０Ａを有する接続部材５０で接続したことを特徴とするものである。
このような本発明においては、本体部１２と拡張ユニット３０との各外壁パネル２５，４３間にコーナーパネル２６を介装するため、各パネル２５，２６，４３間の目地処理が入隅の頂角位置から離れた位置で容易に行われるようになる。
また、拡張ユニット３０の柱３１の断面寸法を建物ユニット２０の柱２１の断面寸法よりも小さく設定するから、それらの寸法差を利用することにより、接続部材５０が各柱２１，３１から建物１０の内部側に突出せずに配置されるようになる。このため、従来のような、張り出した内壁パネル９７が不要となり、建物１０の内部空間が有効に利用されるようになる。
【０００９】
また、本発明の拡張ユニットの取付構造では、本体部１２を複数の建物ユニット２０から構成し、拡張ユニット３０および各建物ユニット２０を、四隅の柱２１，３１を含んで構成された骨組２４，３９を有したものとし、これら骨組２４，３９の見付け寸法Ｍ，Ｌを同じに設定することが好ましい。
このような場合には、本体部１２を構成する建物ユニット２０の骨組の見付け寸法Ｍと、拡張ユニット３０の骨組３９の見付け寸法Ｌとが同じであるから、拡張ユニット３０の見付け方向に沿って設けられる外壁パネル４２等を、他の建物ユニット２０Ｂの外壁パネル２５と同寸法に設定できる等、部材の共通化が促進される。
【００１１】
そして、本発明の拡張ユニットの取付構造では、接続部材５０を、この接続部材５０が当接される拡張ユニット３０の柱３１および建物ユニット２０Ａの柱２１のうちの少なくとも一方の柱２１（３１）の側面２１Ａ（３１Ａ）に、建物１０の内部側から螺設されるボルト５７で固定することが好ましい。
このような場合には、建設現場における接続部材５０の固定を建物１０の内部側から容易に行えるようになる。
【００１２】
さらに、本発明の取付構造では、建物ユニット２０Ａおよび拡張ユニット３０の互いに接続される柱２１，３１を、各々中空とし、かつ接続部材５０に対応する位置に設けられた開口部２１Ｂ，３１Ｂを塞ぐ閉塞部材５３，５４を有したものとし、この閉塞部材５３，５４の前記開口部２１Ｂ，３１Ｂと対向する面にナット５６を固着し、このナット５６に接続部材５０を固定する前述のボルト５７を螺合してもよい。
このような場合には、ナット５６を予め閉塞部材５３，５４に固着しておくことにより、柱２１，３１の上下方向の中央位置等、通常ではナット５６を取り付け難い箇所であっても、開口部２１Ｂ，３１Ｂを設けた後に各閉塞部材５３，５４を溶接するだけで、ナット５６が容易に設けられるようになる。
【００１３】
以上において、さらに、コーナーパネル２６を、平断面Ｌ字形状としてもよく、このような場合には、頂角部分が直角とされた入隅が形成されるようになる。
【００１４】
【発明の実施の形態】
以下、本発明の一実施の形態を図面に基づいて説明する。なお、各図において、前述の従来技術で説明した部材と同じ部材には同一符号を付した。
図１は、本実施の形態に係る拡張ユニットの取付構造が適用されたユニット式建物１０を模式的に示す全体斜視図である。
図１において、ユニット式建物１０は、基礎１１上に建てられた本体部１２と、本体部１２の上部に設けられた屋根１３とから構成され、本体部１２は、水平方向および上下方向に配置された複数の建物ユニット２０から構成され、各建物ユニット２０のうちの桁方向の中央に配置された建物ユニット２０Ａには本体部１２の室外側に突出した拡張ユニット３０が取り付けられている。
【００１５】
建物ユニット２０は、全体形状が箱状とされているとともに、図２および図４に示すように、四隅に立設された四本の柱２１と、これらの柱２１の上端間および下端間に架け渡された各四本の上梁２２および下梁２３とを含んで構成された金属製の骨組２４を備え、建物ユニット２０Ａに対して見付け方向（桁方向）に隣接配置された建物ユニット２０Ｂ（図１、図４）では、骨組２４の室外側の側面に直線状の外壁パネル２５が図示しないブラケット等を介して上下梁に取り付けられている。
そして、このような骨組２４の見付け方向の寸法は、モデュール寸法Ｍとなっている。
【００１６】
拡張ユニット３０は、全体形状が箱状とされ、図３および図４に示すように、四隅に立設された四本の柱３１と、これらの柱３１の上端間および下端間に架け渡された各四本の上梁３２および下梁３３と、室外側の上下梁３２，３３間に立設された間柱３４と、上梁３２間および下梁３３間に架け渡された中間梁３５と、複数の水平材３６、筋かい３７およびブレース３８とを含んで構成された金属製の骨組３９を備えている。
そして、このような骨組３９の見付け寸法Ｌは、建物ユニット２０のモデュール寸法Ｍと同じになっている。
また、骨組３９を構成する各柱３１の断面寸法は、建物ユニット２０の柱２１の断面形状よりも小さく設定され、骨組３９内にはそれらの柱３１間に位置されるように、見付け方向および見込み方向の各々に沿って内壁パネル４０，４１が立設されている。
【００１７】
図４に示すように、骨組３９の室外に臨む側面は、直線状の外壁パネル４２，４３、および柱３１に取り付けられた平断面Ｌ字形状のコーナーパネル４４で覆われており、見込み方向に沿って設けられた外壁パネル４３と、建物ユニット２０Ｂに設けられてその外壁パネル４３に対して直角をなす外壁パネル２５との間には、平断面Ｌ字形状の別のコーナーパネル２６が介装されている。このコーナーパネル２６は、建物ユニット２０Ｂの柱２１に、図示しないブラケット等を介して取り付けられたものである。
ここで、各パネル２５，２６，４２〜４４は、例えば、オートクレーブ養生された軽量気泡コンクリート（ＡＬＣ）製である。
【００１８】
図４において、建物ユニット２０Ａ，２０Ｂの内部と拡張ユニット３０の内部とは、互いに連通されており、これにより大きな内部空間が形成されている。そして、各建物ユニット２０Ｂ内に立設された内壁パネル４５の表面と拡張ユニット３０の内壁パネル４１表面とは、柱２１に固定された内壁材４６で連続するように仕上げられている。
なお、図４中の符号４７は、内部空間内にわたって敷設された床材を示している。
【００１９】
そして、建物ユニット２０Ａと拡張ユニット３０との接続は、対向し合う柱２１，３１間で行われている。
具体的には、図５にも示すように、各柱２１，３１において、柱２１の拡張ユニット３０側に向いた側面２１Ａと、この側面２１Ａに対して直角をなす柱３１の側面３１Ａとが、各側面２１Ａ，３１Ａに当接される当接面５０Ａ，５０Ｂを有した平面Ｌ字形状の接続部材５０で互いに接続されるようになっている。
【００２０】
この接続部材５０は、二枚のスティフナ５１で補強されているとともに、各当接面５０Ａ，５０Ｂに穿設されたボルト孔５２を有している。そして、このような接続部材５０は、各柱２１，３１の断面寸法の差を利用して室内側に突出しない位置において、柱２１，３１の上下方向の略中央および上端寄りに固定されるようになっている。
【００２１】
一方、各柱２１，３１は、中空の筒状とされ、接続部材５０に対応する位置に開口部２１Ｂ，３１Ｂを有し、これらの開口部２１Ｂ，３１Ｂが板状の閉塞部材５３，５４の溶接により塞がれている。
この閉塞部材５３，５４は、ボルト孔５５を有すとともに、開口部２１Ｂ，３１Ｂと対向する面に予め固着された裏ナット５６を有している。
すなわち、これら柱２１，３１に対する接続部材５０の固定は、この接続部材５０のボルト孔５２と閉塞部材５３，５４のボルト孔５５とに室内側からボルト５７を挿通し、各ボルト５７をナット５６に螺合することにより行われる。
【００２２】
また、図６に示すように、建物ユニット２０Ａの柱２１における側面２１Ａの下端寄りには、スティフナ６１で補強されたＬ字形状の支持部材６０が、例えば、溶接等により固着されており、支持部材６０の上面６０Ａには、ボルト孔６２が穿設され、また、ガイドピン６３が上方に向いて突設されている。
これに対し、拡張ユニット３０の柱３１における側面３１Ａの下端寄りには、スティフナ７１で補強されたＬ字形状の接続部材７０が固着されており、接続部材７０の下面７０Ａには、ボルト孔７２が穿設され、また、支持部材６０のガイドピン６３に対応したガイド孔７３が穿設されている。
すなわち、拡張ユニット３０をクレーン等で持ち上げた後、拡張ユニット３０を徐々に下降させてガイド孔７３にガイドピン６３を挿通させることにより、支持部材６０の上面６０Ａに接続部材７０を載置し、次いで、各部材６０，７０をボルト孔６２，７２に挿通したボルト８０とこれに螺合するナット８１で接続する。
なお、このナット８１は、予め支持部材６０に固着しておいてもよい。
【００２３】
このような本実施の形態においては、各建物ユニット２０および拡張ユニット３０を予め工場で生産し、この際、外壁パネル２５，４２，４３およびコーナーパネル２６，４４を各骨組２４，３９に取り付けておくとともに、内部に内壁パネル４０，４１，４５等を配置しておく、
次ぎに、建設現場において、各建物ユニット２０を組み合わせて建物１０の本体部１２を建てた後、前述の要領で拡張ユニット３０の下端側を建物ユニット２０Ａの下端側に載置してボルト止めを行うとともに、各建物ユニット２０の柱２１と拡張ユニット３０の柱３１とを接続部材５０を用いて互いに接続する。ただし、接続部材５０を予め柱２１，３１のいずれか一方に工場等で予め固定あるいは仮固定しておいてもよい。
この後、室内では、内壁材４６の取り付けを行い、室外では、外壁パネル２５，４２，４３およびコーナーパネル２６，４４間の目地処理を行う。
【００２４】
このような本実施の形態によれば以下のような効果がある。
すなわち、建物１０において、本体部１２と拡張ユニット３０との各外壁パネル２５，４３間にはコーナーパネル２６が介装されているため、各パネル２５，２６，４３間の目地処理を入隅の頂角位置から離れた位置で容易に行うことができる。
【００２５】
また、建物ユニット２０の骨組２４のモデュール寸法Ｍと、拡張ユニット３０の骨組３９の見付け寸法Ｌが同じであるため、拡張ユニット３０の見付け方向に沿って設けられた外壁パネル４２を、建物ユニット２０Ｂの外壁パネル２５と同寸法に設定でき、部材の共通化を促進できる。
【００２６】
さらに、拡張ユニット３０の柱３１の断面寸法が建物ユニット２０の柱２１の断面寸法よりも小さく設定されているため、接続部材５０をそれらの寸法差を利用して柱３１と内壁材４６との間の空間に収容することができ、接続部材５０を各柱２１，３１から建物１０の内部側に突出させずに配置することができる。このため、従来のような、張り出した内壁パネル９７が不要となり、建物１０の内部空間を有効に利用することができる。
【００２７】
そして、接続部材５０が各柱２１，３１の側面２１Ａ，３１Ａに建物１０の内部側から螺設されるボルト５７で固定されているため、建設現場における接続部材５０の固定を容易に行うことができる。
【００２８】
また、拡張ユニット３０および建物ユニット２０Ａの各柱２１，３１が中空とされているうえ、各柱２１，３１には開口部２１Ｂ，３１Ｂが設けられ、接続部材５０固定用のボルト５７に螺合するナット５６が、開口部２１Ｂ，３１Ｂを塞ぐ閉塞部材５３，５４の裏面に固着されているため、ナット５６を予め閉塞部材５３，５４に固着しておくことにより、柱２１，３１の上下方向の中央位置等、通常ではナット５６を取り付け難い箇所であっても、開口部２１Ｂ，３１Ｂを設けた後に各閉塞部材５３，５４を溶接するだけで、ナット５６を容易に設けることができる。
【００２９】
また、コーナーパネル２６は、平断面Ｌ字形状であるため、建物１０に頂角部分が直角とされた入隅を形成することができる。
【００３０】
さらにまた、柱２１の下端寄りに設けられた支持部材６０が拡張ユニット３０の垂直荷重を受ける構造になっているから、接続部材５０の固定を、拡張ユニット３０の荷重が支持部材６０で受けられらた状態で容易かつ安全に行うことがでる。
【００３１】
そして、その支持部材６０と柱３１に設けられた接続部材７０とは、略同形状をしているため、各部材６０，７０の構成部品を共通化できる。
【００３２】
なお、本発明は前記実施の形態に限定されるものではなく、本発明の目的を達成できる他の構成等を含み、以下に示すような変形等も本発明に含まれる。
例えば、前記実施の形態では、コーナーパネル２６が平断面Ｌ字形状であったが、本発明に係るコーナーパネルの断面形状は、特にＬ字形状に限定されるものではなく、例えば、室外に臨む外表面を一つの側面で形成したり、あるいは、このような一つの面を曲面とすることにより、断面形状をＬ字形状以外としてもよい。
【００３３】
また、前記実施の形態では、接続部材５０もＬ字形状であったが、接続部材はＬ字形状の他、例えば、Ｔ字形状等であってもよい。
【００３４】
また、前記実施の形態では、接続部材５０は、柱２１，３１の断面の寸法差を利用することにより、柱３１と内壁材４６との間の空間に収容されていたが、柱３１が四隅から多少ずれている場合、すなわち、柱３１とコーナーパネル２６との間に十分な空間が形成される場合には、この空間内に接続部材５０を収容して柱２１，３１を接続してもよい。要するに、接続部材５０は、柱２１，３１の寸法差を利用することにより、建物１０の内部側に突出しない位置に配置されていればよい。
ただし、柱３１とコーナーパネル２６との間の空間を設けて接続部材５０を配置すると、その固定作業を内壁パネル４１を立設させない状態で、しかも、手をまわす等して行う必要があるため、建物１０の工業化率や作業効率を向上させるうえでも、接続部材５０を前記実施の形態のような空間内に配置することが好ましい。
【００３６】
さらに、前記実施の形態では、拡張ユニット３０の骨組３９の見付け寸法Ｌが建物ユニット２０の骨組２４のモデュール寸法Ｍと同じに設定されていたが、これらの寸法が異なる場合でも本発明に含まれる。
ただし、各々の寸法を同じに設定することで、前述した効果が得られるのでよい。
【００３７】
【発明の効果】
以上に述べたように、本発明によれば、建物の本体部と拡張ユニットとの各々に設けられた互いに直角をなす外壁パネル間に、平断面Ｌ字形のコーナーパネルを介装したため、各パネル間の目地処理を入隅の頂角位置から離れた位置で容易に行うことができるという効果がある。
【図面の簡単な説明】
【図１】本発明の一実施の形態に係る拡張ユニットの取付構造が適用された建物の全体を模式的に示す斜視図である。
【図２】前記建物の本体部を構成する建物ユニットの骨組を示す斜視図である。
【図３】前記建物ユニットに取り付けられる拡張ユニットの骨組を示す斜視図である。
【図４】前記拡張ユニットが前記建物ユニットに取り付けられた状態を示す平面図である。
【図５】前記拡張ユニットを建物ユニットに取り付ける際の要部を示す分解斜視図である。
【図６】前記拡張ユニットを建物ユニットに取り付ける際の他の要部を示す分解斜視図である。
【図７】従来技術を示す平面図である。
【符号の説明】
１０              建物
１２              本体部
２０              建物ユニット
２１，３１        柱
２１Ａ，３１Ａ    側面
２１Ｂ，３１Ｂ    開口部
２４，３９        骨組
２５，４２，４３  外壁パネル
２６              コーナーパネル
３０              拡張ユニット
５０              接続部材
５０Ａ            当接面
５３，５４        閉塞部材
５６              ナット
５７              ボルト
Ｌ，Ｍ            見付け寸法および見付け寸法であるモデュール寸法
【図１】
0003756269.tif 000002
【図２】
0003756269.tif 000003
【図３】
0003756269.tif 000004
【図４】
0003756269.tif 000005
【図５】
0003756269.tif 000006
【図６】
0003756269.tif 000007
【図７】
0003756269.tif 000008